(57)【要約】      （修正有）【課題】特に腹部および／または脚のための運動器具を提供する。【解決手段】第１の端部の領域で支持部１２に枢動可能に結合され、支持部１２から少なくともある程度上方向に延在するように弾性的に偏倚された背もたれ２０と、第１の端部の領域で支持部１２に枢動可能に結合され、少なくともある程度上方向に延在するように弾性的に偏倚された足掛け２２とを備える運動器具であって、支持部１２が、器具を床に安定に設置できるように構成され、器具がさらに、背もたれ２０および足掛け２２の前記第１の端部の領域に使用者のためのシート部分を提供するように構成され、それにより、器具に着座したときに、使用者が必要に応じて脚および／または腹部の運動を行うことができる。【選択図】図１
2011025015.tif 000002
【特許請求の範囲】
【請求項１】
第１の端部の領域で支持部に枢動可能に結合され、支持部から少なくともある程度上方向に延在するように弾性的に偏倚された背もたれと、第１の端部の領域で前記支持部に枢動可能に結合され、少なくともある程度上方向に延在するように弾性的に偏倚された足掛けとを備える運動器具であって、前記支持部が、器具を床に安定に設置できるように構成され、前記器具がさらに、背もたれおよび足掛けの前記第１の端部の領域に使用者のためのシート部分を提供するように構成される運動器具。
【請求項２】
前記背もたれが、前記足掛けに対してある角度で延在するように構成される請求項１に記載の器具。
【請求項３】
前記背もたれと足掛けが、共通の支点で枢動する請求項１または２に記載の器具。
【請求項４】
前記背もたれと足掛けが、弾性的に枢動可能に一体に結合され、枢動結合部が前記支持部に取り付けられる請求項３に記載の器具。
【請求項５】
前記背もたれと足掛けのそれぞれが、前記支持部に弾性的に枢動可能に結合され、前記支持部から少なくともわずかに異なる方向に、かつ／または前記支持部の異なる位置から、ある程度上方向に延在する請求項１または２に記載の器具。
【請求項６】
前記シート部分が、前記背もたれと足掛けのそれぞれの第１の端部の間に位置される請求項５に記載の器具。
【請求項７】
前記支持部が、運動動作中に使用者がつかむハンドルを含む請求項１から６のいずれか一項に記載の器具。
【請求項８】
背もたれと足掛けのそれぞれの枢動接続が、それぞれを弾性偏倚に反して少なくとも実質的に水平な位置まで枢動させることができるようなものである請求項１から７のいずれか一項に記載の器具。
【請求項９】
前記背もたれと足掛けを、それぞれがシート部分から下方向に傾斜するように、弾性偏倚に反して水平を超えた位置まで枢動させることができる請求項８に記載の器具。
【請求項１０】
前記足掛けが、使用者の大腿部の裏側を支えるように構成される請求項１から９のいずれか一項に記載の器具。
【請求項１１】
前記背もたれがアーム部材を備え、前記アーム部材が、前記支持部に弾性的に枢動可能に係合され、使用者の背中に当てるための少なくとも１つのクッション・パッドを備える請求項１から１０のいずれか一項に記載の器具。
【請求項１２】
使用者の背中に当てるための前記少なくとも１つのクッション・パッドが、好ましくはローリングして動くことができる請求項１１に記載の器具。
【請求項１３】
前記足掛けが、少なくとも１つの中央長手方向アームを備え、前記アームの各側で足載せ手段が横方向に延在する請求項１から１２のいずれか一項に記載の器具。
【請求項１４】
前記足載せ手段が、クッション部材を備える請求項１３に記載の器具。
【請求項１５】
クッション支持部材が、使用者の脚が前記クッション支持部材に対して動かされるときに回転するように、回転式に相対移動するように構成される請求項１３または１４に記載の器具。
【請求項１６】
前記支持部材のそれぞれ第１および第２の対が、前記中央アーム（１つまたは複数）の長手方向で離隔されて提供される請求項１３、１４、または１５に記載の器具。
【請求項１７】
前記足載せ手段が、前記アーム（１つまたは複数）での位置を必要に応じて調節することができるように、前記長手方向アーム（１つまたは複数）に移動可能に取り付けられる請求項１３、１４、１５、または１６に記載の器具。
【請求項１８】
前記足掛けが、枢動可能に取り付けられた左右の部材を備える請求項１から１７のいずれか一項に記載の器具。
【請求項１９】
前記左右の部材が、独立して枢動するように構成される請求項１８に記載の器具。
【請求項２０】
前記左右の部材が、選択的に単体としての枢動または独立した枢動を実現するように、選択的に取り外し可能な結合手段を有して構成される請求項１８または１９に記載の器具。
【請求項２１】
前記足掛けが、前記枢動のための弾性的に偏倚された中間部材に結合されるように構成される請求項１から２０のいずれか一項に記載の器具。
【請求項２２】
前記中間部材への前記足掛けの結合の位置を選択的に変えることができる請求項２１に記載の器具。
【請求項２３】
実質的に、添付図面の図１および２；図３、４、５、および６；ならびに図７を参照して明細書に述べた、添付図面に図示される運動器具。
【発明の詳細な説明】
【技術分野】
【０００１】
本発明は、特に脚および腹部の運動動作で使用するための器具に関する。
【背景技術】
【０００２】
例えばフィットネスおよびボディトーニングのレベルを向上させるために身体の様々な部位の運動を行うのに使用するための様々な形態の運動器具が一般に知られている。
【０００３】
これには、脚および腹部の運動を行うための運動器具が含まれ、大抵は複雑である様々な種類のそのような器具が、公共のジムおよび個人ジムで一般に利用可能である。
【０００４】
また、場合によってはより効率的であり、時間を節約でき、費用対効率の高い運動動作のために、家庭環境での運動がますます普及している。
【０００５】
しかし、既知の運動器具の多くは、一般的に家庭環境に適するものではなく、不要に複雑であり嵩張ることがあり、したがって使用しないときに既知の器具を場所を取らずに整然と収納しておくのは容易ではない。
【０００６】
様々な形態の脚・腹部運動器具がフレーム構造を含み、これらのフレーム構造は、嵩張り、容易には解体できず、家庭環境で使用して収納するときには邪魔になることがある。
【発明の概要】
【発明が解決しようとする課題】
【０００７】
本発明の目的は、既知のそのような器具に勝る利点を有する、特に腹部および／または脚のための運動器具を提供することである。
【０００８】
特に、本発明の目的は、例えば腹部および／または脚のための運動器具であって、構造および操作が比較的単純であり、またメンテナンスも比較的簡単であり、それにもかかわらず、様々な使用者が行うことができる運動動作の範囲および質を改良し、さらなる利点として、特にコンパクトであり、使用しないときに比較的に簡単に収納することができる運動器具を提供することである。
【課題を解決するための手段】
【０００９】
本発明の一態様によれば、第１の端部の領域で支持部に枢動可能に結合され、支持部から少なくともある程度上方向に延在するように弾性的に偏倚された背もたれと、第１の端部の領域で前記支持部に枢動可能に結合され、少なくともある程度上方向に延在するように弾性的に偏倚された足掛けとを備える運動器具であって、前記支持部が、器具を床に安定に設置できるように構成され、器具がさらに、背もたれおよび足掛けの前記第１の端部の領域に使用者のためのシート部分を提供するように構成される運動器具が提供される。
【００１０】
どちらも弾性的に偏倚され、必要な場合にはジャックナイフ式に枢動することができる背もたれと足掛けを備える、床に設置することができて安定なそのような運動器具を提供することによって、本発明の器具は、有利には、腹部および／または脚に関して全範囲の運動を提供するための単純であり、コンパクトであり、容易に収納できる器具を提供する。
【００１１】
必要な場合には、器具をその使用位置から簡単に移動させて、必要に応じて収納することができる。
【００１２】
好ましくは、背もたれは、前記足掛けに対してある角度で延在するように構成することができる。
【００１３】
収納の助けとなるように、必要な場合には、背もたれと足掛けの少なくとも一方を、器具内で生じている弾性力に反して移動させて、所定位置で保持することができることを理解すべきである。
【００１４】
一実施形態では、背もたれと足掛けは、共通の支点で枢動するように構成することができる。
【００１５】
そのようにすると、有利には、背もたれと足掛けを弾性的に枢動可能に一体に結合させることができ、枢動結合部が前記支持部に取り付けられる。
【００１６】
別の構成によれば、背もたれと足掛けのそれぞれが、支持部に弾性的に枢動可能に結合され、支持部から少なくともわずかに異なる方向に、かつ／または支持部の異なる位置から、ある程度上方向に延在する。
【００１７】
有利には、背もたれと足掛けのそれぞれの第１の端部の間にシート部分を位置させることができる。
【００１８】
理解されるように、側面から見ると、本発明の背もたれと足掛けは、概してＶ字形状で上方向に延在することができる。
【００１９】
好ましくは、支持部は、運動動作中に使用者がつかむハンドルを含む。ハンドルは、前記支持部のそれぞれの側部から、好ましくはシート部分の領域内で延在する一対のハンドルを構成することができる。
【００２０】
一構成では、単に、背もたれと足掛けの隣接する第１の端部によって、使用者のためのシート部分を提供することができる。
【００２１】
別の実施形態によれば、特に、背もたれおよび足掛けが支持部に枢動可能に結合される場合、背もたれと足掛けの前記第１の端部の間にある支持部の上側を向いた部分が、器具のシート部分を構成することができる。
【００２２】
また、そのような支持部の領域に、必要に応じて適当なクッションを設けることもできる。
【００２３】
特に、背もたれにクッション部材が設けられる場合、クッション部材は、有利には少なくとも１つのローラ・クッション部材を構成することができ、このローラ・クッション部材により、使用中に器具が、使用者の背中が背もたれに対して容易に動かせるようになるように構成される。
【００２４】
並べられたローラ・クッションの対を支持する弓形クレードルを採用する特定の一実施形態には、任意の適切なクッション手段を設けることができる。
【００２５】
本発明の１つの特別な特徴は、シート部分が、器具が支持される床よりも高い位置に提供されることである。
【００２６】
有利には、背もたれと足掛けのそれぞれの枢動接続は、それぞれを弾性偏倚に反して少なくとも実質的に水平な位置まで枢動させることができるようなものである。
【００２７】
好ましくは、前記背もたれと足掛けは、それぞれがシート部分から下方向に傾斜するように、弾性偏倚に反して水平を超えた位置まで枢動させることができる。
【００２８】
そのような範囲の枢動の提供により、有利には、器具は、そのコンパクトで効率的な構成を保ちながら、広範囲の可能な運動を提供することができる。
【００２９】
理解されるように、足掛けは、使用者の大腿部の裏側を支えるように構成される。
【００３０】
特定の有利な一実施形態では、背もたれと足掛けのそれぞれが、互いにおよび／または支持部に関して独立して枢動することができる。当然、背もたれと足掛けは、器具の重量および快適さの面から必要に応じて任意の適切な材料で、任意の適切な構成で提供することができることを理解すべきである。
【００３１】
すなわち、背もたれおよび足掛けは、概して平坦な固体部材から構成することができ、または、例えば使用者の背中と脚を支えるために間にウェブを設けたフレーム部材から構成することができる。あるいは、フレーム部材が適切なクッション部材を含むことができ、クッション部材は、必要であれば、フレーム部材に対して移動可能にすることができる。
【００３２】
特に有利な一実施形態によれば、背もたれがアーム部材を備え、このアーム部材は、前記支持部に弾性的に枢動可能に係合され、使用者の背中に当てるためのクッション・パッドを備える。クッション・パッドがアーム部材に移動可能に取り付けられ、それによりアーム部材でのクッション・パッドの位置を使用者に最適となるように容易に調節することができることが有利である。
【００３３】
さらに、足掛けは、少なくとも１つの中央長手方向アームを備えることができ、アームの各側で足載せ手段が横方向に延在する。
【００３４】
有利には、足載せ手段がクッション部材を備え、クッション部材は、必要であれば、中央長手方向アーム（１つまたは複数）に対して移動するように構成することができる。
【００３５】
好ましくは、クッション支持部材の相対移動は回転式のものであり、それにより、一般に器具に乗り降りするとき、および／または器具を使用するときに使用者の脚がクッション支持部材に対して動かされるときに回転する。
【００３６】
有利には、前記支持部材のそれぞれ第１および第２の対が、前記中央アーム（１つまたは複数）の長手方向で離隔されて提供される。
【００３７】
当然、これらの横方向の支持部材が、使用者の脚の様々な位置の下に当たるように構成されることを理解されたい。有利には、前記横方向に延在する支持部材が長手方向アーム（１つまたは複数）に着脱可能に取り付けられ、それにより、前記アーム（１つまたは複数）での支持部材の位置を、使用者が快適となるように必要に応じて調節することができる。
【００３８】
本明細書では以後、単に例として添付図面を参照して本発明をさらに説明する。
【図面の簡単な説明】
【００３９】
【図１】本発明の一実施形態による運動器具の概略側面図である。
【図２】同様に図１の器具の図であるが、使用時に、背もたれおよび足掛けが偏倚に反してそれらの最大の広がり位置まで枢動されている図である。
【図３】本発明の別の実施形態による運動器具の概略側面図である。
【図４】同様に図３の器具の図であるが、使用時に、背もたれおよび足掛けが偏倚に反してそれらの最大の広がり位置まで枢動されている図である。
【図５】図３によって表されるものと同様の概略図であるが、器具に座ったときの使用者の体勢を示す図である。
【図６】図４のものと同様の概略図であるが、図５と同様にやはり運動動作中の使用者の体勢を示し、器具が図４に示される位置にある図である。
【図７】本発明の別の実施形態による器具の斜視図である。
【図８】本発明の別の実施形態の図である。
【図９】本発明の別の実施形態の図である。
【図１０】本発明の別の実施形態の図である。
【発明を実施するための形態】
【００４０】
次に図面を見る。まず図１を参照すると、図１は、本発明の一実施形態による運動器具の概略側面図である。
【００４１】
腹部および脚の運動を行うために構成された運動器具１０は、床面に設置される支持部１２を含み、支持部１２は、器具１０を床面（図示せず）に安定に設置するための足部１４、１６を有する。
【００４２】
また、支持部１２は、ある程度上方向に延在する背もたれ２０および足掛け２２に動作可能に結合された弾性偏倚要素１８に接続される。
【００４３】
したがって、背もたれ２０と足掛け２２は、背もたれ２０が矢印Ａの方向に偏倚され、足掛け２２が矢印Ｂの方向に偏倚されるように、弾性的に偏倚されて効果的に一体に結合される。
【００４４】
この運動器具は、通常、使用者が器具に乗ると、背中が背もたれ２０に支えられ、大腿部の下部領域が足掛け２２に支えられるように効果的に着座するような向きである。
【００４５】
それにより、枢動接続部１８の支点の領域にある背もたれ２０と足掛け２２の隣接する端部領域が、概して使用者のためのシート領域を成す。
【００４６】
使用時、使用者は、上述したように器具１０に着座した後、背もたれ２０と足掛け２２のそれぞれを、それぞれ矢印Ａ、Ｂとは反対方向に、偏倚手段１８の偏倚力に反して枢動させることができる。
【００４７】
このようにして、使用者は、腹筋と脚筋の両方に作用する運動動作を行うことができる。１つの特別な利点として、背もたれ２０と足掛け２２の枢動接続点が、器具１０が設置されている床面よりも高い位置にある。それにより、使用者が背もたれ２０と足掛け２２のそれぞれを偏倚力に反して最大の広がり位置まで、すなわち図２の矢印Ｃの方向に枢動させるとき、背もたれ２０と足掛け２２のそれぞれがシート領域から下方向に傾いて効果的に延在し、有利には、使用者が行う運動動作に完全な可動範囲を提供する。
【００４８】
図２に示されるような構成は、運動動作中に使用者が有利な完全な伸展姿勢を取ることができるようにする。
【００４９】
次に図３および４を見ると、本発明のさらなる一実施形態が概略側面図で示されている。
【００５０】
まず図３を見ると、運動器具２４が支持フレーム２６を備え、支持フレーム２６に、背もたれ２８と足掛け３０のそれぞれが別々の点で、それぞれ矢印ＡおよびＢによって示される方向に付勢されるように弾性的に枢動接続される。
【００５１】
この図示した例では、支持フレーム２６は、運動動作中に使用者がつかむハンドル３２も提供することができる。
【００５２】
理解されるように、運動器具の一般的な動作モードは、図１および２を参照して例示したものと同様であるが、図３および４の実施形態では、支持部２６は、背もたれ２８と足掛け３０の隣接する端部の間に、支持部２６の上面３３を提供しシート部分を提供し、ここには容易にクッションを敷くことができる。
【００５３】
背もたれ２８と足掛け３０のそれぞれの枢動は、異なる支点によって概して先と同様に実現され、偏倚力に反して、水平を超えて、図４に示される位置までの枢動を可能にする。ここでも、矢印Ｃの方向での背もたれ２８と足掛け３０の枢動により、有利には、使用者が行うことができる運動法を強化することが可能である。
【００５４】
さらに、運動動作の実質が図５および６を参照して例示され、これらの図は、図３および４に例示した器具によって行うことができる運動動作の２つの終端位置での体勢を示す。
【００５５】
理解されるように、背もたれ２８と足掛け３０のそれぞれを図５の矢印の方向で反復枢動させることで、使用者の腹筋と脚筋の両方に効果的な運動法が提供される。
【００５６】
次に図７を見ると、本発明のさらなる一実施形態が例示されており、この実施形態は、特に使用者の快適さを念頭において構成されている。
【００５７】
図７の実施形態は、目的の動作が前述の実施形態と同様である「ジャックナイフ」運動器具３４である。この器具は、クッションを敷かれたシート３６を有し、使用者はシート３６に着座して運動動作を行い、そのシート３６の部分に隣接して背もたれアーム３８が概して上方向に延在し、背もたれアーム３８は、ほぼその他端に位置された着脱可能に取り付けられたクッション・パッド４０を有する。
【００５８】
アーム３８でのクッション・パッド４０の位置は、器具の使用中の快適さを最適にするように使用者の身長、一般には座高に適するように必要に応じて変えることができる。
【００５９】
シート３６の反対側の領域からは、一対の中央足掛けアーム４２が延在し、中央足掛けアーム４２は、それらの各側で横方向に延在する第１の対（４４ａ、４４ｂ）および第２の対（４６ａ、４６ｂ）の円柱形の足載せクッションを有する。
【００６０】
特に前述の実施形態での考察から理解されるように、使用時、使用者が、背中をクッション・パッド４０に寄り掛からせて、脚の裏側が円柱形クッション・パッド４４Ａ、４４Ｂ；４６Ａ、４６Ｂに当たるように脚を上方向に伸ばしてシート部分３６に着座することが意図される。
【００６１】
ここでも、前述の実施形態と同様に、アーム３８、４２のそれぞれが小さな地面支持フレーム４８に弾性的に枢動可能に取り付けられ、フレーム４８は、４つの脚部材５２〜５８で終端する概して平行な側部バー５０Ａ、５０Ｂを有し、脚部材５２〜５８は、例えばゴム足部６０（そのうちの２つが図７に示されている）を有して、器具が床面で滑るのを防止するように、かつまた床の傷および／または跡を防止するように、器具を床に安定に設置する。
【００６２】
一対のハンドル６２Ａ、６２Ｂが、平行な側部バー５０Ａ、５０Ｂのそれぞれから延在し、使用者は、器具３４で運動動作を行うときに必要に応じてこれらのハンドルをつかむことができる。
【００６３】
この例示した実施形態では、アーム３８、４２のそれぞれが、コイルばね６４（その１つのみが図７で見える）によって弾性的にフレーム支持部４８と枢動可能に係合され、コイルばね６４は、アーム３８、４２を図７に示される位置に戻す強い復原力を提供するのに適した強度であることが有利である。
【００６４】
したがって、使用時、使用者は、シート部分３６に着座し、背中をクッション・パッド４０に寄り掛からせて、脚の裏側が円柱形クッション４４Ａ、４４Ｂ；４６Ａ、４６Ｂに支えられるように概して足掛けアーム４２に沿わせて脚を上方向に伸ばすことを理解されたい。
【００６５】
有利には、このように器具３４に着座したときに、使用者は様々な運動動作を行うことができる。
【００６６】
例えば、円柱形クッション４４Ａ、４４Ｂ；４６Ａ、４６Ｂに支えられているときに脚をほぼ動かないように保つことができ、使用者は、図７の図示では反時計回りの方向に、背もたれアーム３８の弾性偏倚に反して背もたれ３８を移動させることによって、シットアップタイプの運動動作を行うことができる。
【００６７】
あるいは、使用者の背中をほぼ動かないように保ち、ばね部材３６の偏倚に反してほぼ時計回りのにアーム４２（１つまたは複数）を移動させるように、ばね４８によって提供される弾性偏倚に反する運動を概して行う運動動作によって、脚の運動を行うことができる。
【００６８】
さらに、背中と脚の両方を相反して、アーム３８、４２の弾性偏倚に反して下に向けて動かし、次いで、そのような偏倚がアーム３８、４２を図７に示される位置に戻すように作用するので再び上に向けて動かす運動動作を採用することもできる。
【００６９】
図７の実施形態では、足掛けの中央アーム４２は、実際には２つの別個の平行なアームを備え、第１のアームが、そこから延在する円柱形クッション４４Ａ、４６Ａを有し、第２のアームが、そこから延在する円柱形クッション４４Ｂ、４６Ｂを有することを理解されたい。
【００７０】
このようにすると、それぞれ個別の弾性偏倚構成を有する各中央足掛けを用いて、図７による図示では時計回りのへの、前述したばね偏倚に反する各アームの移動により、使用者が交互に各脚の運動を行うことができる。
【００７１】
また、器具の使用の容易さおよび快適さは、中央アーム４２に回転可能に取り付けられた円柱形クッション４４Ａ、４４Ｂ；４６Ａ、４６Ｂを提供することによって特に向上されることにも留意すべきである。
【００７２】
したがって、各クッション４４Ａ、４４Ｂ；４６Ａ、４６Ｂは、使用者の脚と足掛けアーム４２との相対移動を補償するように運動動作中に必要に応じて回転する。
【００７３】
上述したように、足掛けアーム４２の長手方向範囲に沿った各円柱形クッション４４Ａ、４４Ｂ；４６Ａ、４６Ｂの位置は、様々な体形および様々な脚の長さの使用者による器具の使用に対応するように、必要に応じて調節および変更することができる。
【００７４】
また、同じ使用者が、行う運動動作に応じて、円柱形クッション４４Ａ、４４Ｂ；４６Ａ、４６Ｂが中央アーム４２から延在する位置を調節することを望むこともある。
【００７５】
ハンドル６２Ａ、６２Ｂは、運動動作中に使用者が器具をつかむことができる人間工学的に配置された手段を提供し、それにより、使用者の身体のコアマッスルをより良く運動できるようにし、かつ器具の安定性を向上させる。
【００７６】
次に図８〜１０を見ると、本発明のさらなる実施形態の側面斜視図および側面図がそれぞれ提供されており、それぞれ同じ参照符号を使用する。
【００７７】
前述の実施形態と同様に、運動器具６６は、背もたれアーム６８および足掛けアーム７０を含み、これらはどちらもシート部分に関して枢動するように構成される。この実施形態では、足掛けアーム７０は、使用中の使用者の脚の裏側に当たるただ一対のローラ・クッション７２を含む。背もたれアーム６８を見ると、これは、弓形クレードル構成７４を設けられ、弓形クレードル構成７４の端部には、それぞれ対になっているローラ・クッション７６、７８が回転可能に取り付けられている。
【００７８】
図９および１０で最も良く見られるように、弓形クレードル構成７４は、固定ピン８０によって背もたれアーム６８に調節可能に取り付けられ、それにより、弓形クレードル構成７４が背もたれアーム６８に位置される高さは、矢印Ｄの方向に移動させることによって、様々な使用者に適するように調節することができる。この実施形態では、一対のクッション７６、７８が予めクレードル構成に取り付けられており、それにより、使用中に背もたれアーム６８に対して容易に移動することができるようにすることが重要である。必要であれば、弓形クレードル構成７４のアームを、図１０での矢印Ｅに示される様式で使用中に移動するように、背もたれアーム６８に好ましくは弾性的に枢動可能に取り付けることもできる。
【００７９】
次に、図８〜１０の特定の例示的実施形態に関して、さらなる任意選択の、しかし特に有利な本発明の特徴に言及する。まず、図７の実施形態と同様に、足掛けアーム７０は、実際には、それぞれ使用者の左右の脚に関連して動く２つの個別に枢動可能に取り付けられた左右の足掛けによって形成することができることを理解すべきである。一構成では、単体部材として機能するように左右の足掛けアームを一体に固定するように固定手段を提供することができるが、上述したように、２つのアームを切り離すことで相反／交互運動が可能になり、それにより使用者は、交互に各脚の運動を行うことができ、または実際には、必要であれば一方の特定の脚の運動に集中することができる。
【００８０】
さらに、本発明の全ての実施形態と同様に、足掛け部材（１つまたは複数）は、弾性的に取り付けられた中間接続部材によって弾性枢動するように取り付けることができ、足掛け部材（１つまたは複数）は、例えば接続ピンなどによって取り外し可能に中間接続部材に係合することができる。有利には、中間接続部材に関する足掛け部材（１つまたは複数）の位置は、例えば一連の係合構成の１つを用いて、接続ピンの取外し／交換によって選択的に変えることができ、それにより「静止」時の足掛け部材（１つまたは複数）の延在方向を必要に応じて選択的に変えることができる。一例として、中間接続部材のそのような係合構成は、接続ピンを受け取るように構成された一連の穴を備えることができる。実際、特定の一例では、足掛け部材（１つまたは複数）が延在する方向のそのような選択された変更には、実質的に水平な方向が含まれることがあり、それにより、例えば、背もたれの枢動を使用した「シットアップ」タイプの運動動作を必要に応じて補助するために、図７のクッション４６Ａ、４６Ｂおよび図８のクッション７２が固定点を形成し、使用者は、少なくともいくぶん伸ばした脚をその固定点の下に固定することができる。
【００８１】
当然、どのような場合であれ、本発明が前述の実施形態の詳細に制限されないことを理解すべきである。
【００８２】
すなわち、任意の適切な支持構成を、器具を床に取り付ける目的と、概して上方向に延在するように背もたれおよび足掛けを支持する目的とに分けることができる。また、背もたれおよび足掛けは、快適さ、コスト、および重量の要件に応じて、任意の適切な材料から形成することができる。また、背もたれおよび足掛けのそれぞれに弾性偏倚を提供するための手段は、任意の適切なばね構成などによって任意の適切な様式で提供することができる。
【００８３】
理解されるように、使用されていないときには、背もたれと足掛けが、完全に偏倚手段の影響下で、図面に示されるように一般にＶ形状構成を取る。これは、運動動作中の使用により、ジャックナイフ構成で内外に移動させることができる。また、背もたれおよび足掛けの操作によって、器具のコンパクトな保管構成を実現することもできる。
【符号の説明】
【００８４】
１０  運動器具
１２  支持部
１４、１６  足部
１８  弾性偏倚要素
２０  背もたれ
２２  足掛け
２４  運動器具
２６  支持フレーム
２８  背もたれ
３０  足掛け
３２  ハンドル
３４  運動器具
３６  シート
３８  背もたれアーム
４０  クッション・パッド
４２  中央足掛けアーム
４４Ａ、４４Ｂ、４６Ａ、４６Ｂ  クッション・パッド
５０Ａ、５０Ｂ  側部バー
５２〜５８  脚部材
６０  ゴム足部
【図１】
2011025015.tif 000003
【図２】
2011025015.tif 000004
【図３】
2011025015.tif 000005
【図４】
2011025015.tif 000006
【図５】
2011025015.tif 000007
【図６】
2011025015.tif 000008
【図７】
2011025015.tif 000009
【図８】
2011025015.tif 000010
【図９】
2011025015.tif 000011
【図１０】
2011025015.tif 000012
【外国語明細書】
2011025015.tif 000013
2011025015.tif 000014
2011025015.tif 000015
2011025015.tif 000016
2011025015.tif 000017
2011025015.tif 000018
2011025015.tif 000019
2011025015.tif 000020
2011025015.tif 000021
2011025015.tif 000022
2011025015.tif 000023
2011025015.tif 000024
2011025015.tif 000025
2011025015.tif 000026
2011025015.tif 000027
2011025015.tif 000028
2011025015.tif 000029
2011025015.tif 000030
2011025015.tif 000031
2011025015.tif 000032
2011025015.tif 000033
2011025015.tif 000034
2011025015.tif 000035
2011025015.tif 000036